(57)【特許請求の範囲】
【請求項１】
アーク放電管であって、アーク放電を発生し持続させる媒質を内に含む光伝送体と、前記光伝送体の一端に形成されるプレスシールであって向かい合うエッジを区切る平面部を含む前記プレスシールと、前記平面部に封入された第１金属箔と、前記金属箔に取り付けられ前記光伝送体の外側に伸びている引込線と、前記金属箔に取り付けられ前記光伝送体の内側に伸びている電極と、第１の前記エッジ上に形成された第１空胴と第２の前記エッジ上に形成された第２空胴と、紫外線放射の放出を支持するための各前記空胴中の充填材と、前記平面部に封入され前記第１金属箔に取り付けられた第２金属箔であって前記第１空胴中に第１終端があり前記第２空胴中に第２終端がある前記第２金属箔と、を含むアーク放電管。
【請求項２】
前記光伝送体の第２端上に第２プレスシールが形成され、前記第２端は前記一端に向かい合って配置され、前記第２プレスシールは向かい合う第２エッジを区切る第２平面部を含み、第３金属箔は前記第２平面部に封入され、第２引込線は前記第２金属箔に取り付けられ前記光伝送体の外側に伸び第２電極は前記第２金属箔に取り付けられ前記光伝送体の内側に伸び、第３空胴は第１の前記第２エッジ上に形成され第４空胴は第２の前記第２エッジ上に形成され、紫外線放射の放出を支持するための充填材が各前記第３空胴と前記第４空胴中にあり、第４金属箔が前記第２平面部に封入され前記第３金属箔に取り付けられ、前記第４金属箔の第１終端が前記第３空胴中にあり第２終端が前記第４空胴中にある、請求項１記載のアーク放電管。
【請求項３】
前記第１及び第２空胴は、電気エネルギーを受け取るとすぐ紫外線放射の放出を支持する第２媒質を収容している、請求項１記載のアーク放電管。
【請求項４】
前記第１、第２、第３、第４空胴は、電気エネルギーを受け取るとすぐ紫外線放射の放出を支持する第２媒質を収容している、請求項２記載のアーク放電管。
【請求項５】
アーク放電ランプであって、光伝送材料でできた外囲器と、アーク放電を発生し持続する媒質を内に含む光伝送体を含むアーク放電管と、前記光伝送体の一端に形成されたプレスシールと、向かい合うエッジを区切る平面部を含む前記プレスシールと、前記平面部に封入された第１金属箔と、前記金属箔に取り付けられ前記光伝送体の外側に伸びている引込線と前記金属箔に取り付けられ前記光伝送体の内側に伸びている電極と、第１の前記エッジ上に形成された第１空胴と第２の前記エッジ上に形成された第２空胴と、紫外線放射の放出を支持するための各前記空胴中の充填材と、前記平面部に封入され前記第１金属箔に取り付けられた第２金属箔と、前記第１空胴中に第１終端があり前記第２空胴中に第２終端がある前記第２金属箔と、取り付けられた前記外囲器と、電気エネルギーと前記アーク放電管を結合する方法とアーク放電管中のアーク放電の開始を助けるための紫外線放射が放出される少なくとも１つの前記空胴と、を含むアーク放電ランプ。
【発明の詳細な説明】
【０００１】
【発明の属する技術分野】
本発明は高圧放電ランプに関し、特に高圧放電ランプのための補助点灯装置に関する。更に特に高圧放電ランプのアーク放電管に組み込まれた、冗長性のある紫外線補助点灯装置に関する。
【０００２】
【従来の技術】
米国特許第５，３２３，０９１号は、アーク放電管のプレスシール領域に組み込まれた紫外線補助点灯装置を開示している。この特許は本出願人の所有にかかり、本明細書でも引用して記載に代えることがある。上記参照特許で示されるように、補助点灯装置は、プレスシールの平らな表面上に形成された、ガス状の充填材を内を収容した空胴を有しており、この空胴は、ある実施例では直接または間接的に前記シールのモリブデン箔に接触し、他の実施例では別個の引込線または前記シールの金属箔に取り付けられた第２金属箔をもつ。空胴がモリブデン箔に接触している時、密封の完全性が損なわれ、それが利用されているランプの故障の原因にしばしばなることがわかっている。別個の電極が使用された時は、密封の失敗の割合も高い。第２金属箔が空胴への導線に利用された時、密封作業が第２金属箔を壊し、空胴への電気的接続を破壊する。
【０００３】
【発明が解決しようとする課題】
本発明の目的は、先行技術の不便さを除去することにある。本発明の他の目的は、アーク放電管の点灯性を高めることにある。更に本発明の他の目的は、冗長性のある補助点灯装置を供給することにある。
【０００４】
【課題を解決するための手段】
これらの目的は、発明の一局面において、アーク放電を発生し持続させる媒質を内に含む光伝送体と、前記光伝送体の一端に形成されるプレスシールであって向かい合うエッジを区切る平面部を含む前記プレスシールと、前記平面部に封入された第１金属箔と、前記金属箔に取り付けられ前記光伝送体の外側に伸びている引込線と、前記金属箔に取り付けられ前記光伝送体の内側に伸びている電極と、第１の前記エッジ上に形成された第１空胴と第２の前記エッジ上に形成された第２空胴と、紫外線放射の放出を支持するための各前記空胴中の充填材と、前記平面部に封入され前記第１金属箔に取り付けられた第２金属箔であって前記第１空胴中に第１終端があり前記第２空胴中に第２終端がある前記第２金属箔と、を含むアーク放電管により達成される。
【０００５】
プレスシール領域の平面領域とは違い、プレスシール領域のエッジ上に空胴を設けることは、密封の完全性を損なうことがなく、冗長性は、少なくとも１つの空胴とそれに関連する金属箔が密封作業後も機能を果たせるように保持する可能性を、飛躍的に高める。本発明の第２の実施例では、アーク放電管の両端に空胴が形成され、冗長性を更に高めている。
【０００６】
【発明の実施の形態】
これを更に詳細に示す図を参照すると、図１には石英またはアルミノけい酸塩ガラスのような他の適当な材料のスリーブ１４を封入した外囲器１２をもつメタルハライド高圧放電ランプ１０が図示されている。スリーブ１４は、その向かい合った両端に電極１８とアーク放電を発生し持続できる充填材をもつ、アーク放電管１６を囲んでいる。充填材は、よく知られているように、水銀、金属ハロゲン化物、アルゴンを含み得る。それぞれの電極は、アーク放電管を密封したプレスシール２２、２３に封入されたモリブデンリボン２０につながれている。電気エネルギーは口金２８からアーク放電管の電極１８まで、ランプステム３０と導線３２、２６によって通じている。
【０００７】
アーク放電管１６は、石英か他の適当な材料の光伝送体を含んでいる。プレスシール２２、２３は、向かい合うエッジ３８、４０と４２、４４をそれぞれ区切る平面部３６、３７を含む。第１空胴４６はエッジ３８上に、第２空胴４８はエッジ４０上に形成される。第３空胴５０はエッジ４２上に、第４空胴５２はエッジ４４上に形成される。上記米国特許第５，３２３，０９１号に示されているように、アルゴンや窒素のような充填材は空胴中に供給され、充満したガスから得られるか、ディスペンサーを経由して供給される。上記米国特許第５，３２３，０９１号で言及されているように、ディスペンサーは、紫外線放射を促進する水銀のような、供給されるべき材料を含む組成物である。
【０００８】
モリブデン箔リボン５４、５６の形態の電極はそれぞれ金属箔２０に取り付けられ、空胴の中まで伸びている。金属箔５４、５６は金属箔２０の最も外側の端に取りつけられ、それらが金属箔２０に取り付けられている箇所は密封される必要がない。そうすれば供給電力（２．５ｋＶまたはそれ以上のオーダーであり得る）は主密封を遮断することなしに空胴に供給され得る。容量性の放電を作り出すために、接地面５８が必要とされる。この分野ではよく知られているように、標準的な放電管の組立てでは、この接地面は標準的な取り付け支持物により提供され得る。多くの取り付け支持物が米国特許第５，２５２，８８５号で開示されており、本明細書でも参照している。
【０００９】
この補助点灯装置の冗長性は、ランプの操作性を飛躍的に高める。ランプの各端にある第２空胴は、少なくとも１つの空胴が密封作業後も機能を果たせるように保持する可能性を高める。アーク放電管の両端に補助点灯空胴を含むことは、瞬間的な点灯特性をもたらす。空胴の１つだけが作動し、それがアーク放電管の端にある高電圧空胴となる。
【００１０】
上記のように、点灯中、安定回路は高電圧パルスを２．５ｋＶから４．０ｋＶのオーダーで、口金の中心接点に接続された引込線に供給する。この電圧はモリブデン箔と機能している空胴に伝達される。空胴の外側は、低浮遊電位である接地面５８（米国特許第５，２５２，８８５号に開示されているようにシュラウドクリップでよい）に接触しているので、ランプを点灯するための紫外線放射を発生する容量性放電が作り出される。
【００１１】
以上、本発明の好ましい実施例について図示し記載したが、特許請求の範囲によって定められる本発明の範囲から逸脱することなしに種々の変形及び変更がなし得ることは、この分野の技術者には明らかであろう。
【図面の簡単な説明】
【図１】本発明で利用されるランプの、部分的な切断面の正面図である。
【図２】本発明のアーク放電管の正面図である。
【符号の説明】
１０  メタルハライド高圧放電ランプ
１２  外囲器
１４  スリーブ
１６  アーク放電管
１８  電極
２０  モリブデンリボン
２２、２３  プレスシール
２６  導線
２８  口金
３０  ランプステム
３２  導線
３６、３７  平面部
３８、４０、４２、４４  エッジ
４６  第１空胴
４８  第２空胴
５０  第３空胴
５２  第４空胴
５４、５６  モリブデン箔リボン
５８  接地面
【図１】
0003628413.tif 000002
【図２】
0003628413.tif 000003